(57)【要約】　　　（修正有）【課題】物に応じた取付態様のタグを発行することを可能としたタグ発行装置を提供する。【解決手段】熱活性化型の接着層を有する帯状の用紙に対して印字を行う印字手段４ａと、前記接着層を加熱して活性化させる加熱手段６ａとを有し、前記接着層に対し、加熱する領域の周囲に前記用紙の各縁から所定幅以上の非加熱領域を設けることにより、預けられる手荷物に応じた取付態様のタグを発行することことができるタグ発行装置を提供する。【選択図】　　　図１
2004136972.tif 000002
【特許請求の範囲】
【請求項１】
熱活性化型の接着層を有する帯状の用紙に対して印字を行う印字手段と、
前記接着層を加熱して活性化させる加熱手段とを有し、
前記接着層に対し、複数記憶した制御データを選択することにより加熱する部分を自在に変更すること
を特徴とするタグ発行装置。
【請求項２】
前記加熱手段に制御信号を出力する制御手段を有し、
前記加熱手段が前記用紙の幅方向に列設した発熱素子と、前記制御信号に応じて該発熱素子に電流を供給する駆動部とを備えたことを特徴とする請求項１に記載されたタグ発行装置。
【請求項３】
熱活性化型の接着層を有する帯状の用紙に対して印字を行う印字手段と、
前記接着層を加熱して活性化させる加熱手段と、
用紙の接着力を設定する接着力設定手段とを有し、
前記印字手段により印字をすると共に前記接着力設定手段により設定された接着力に応じて前記加熱手段による加熱を行い、それらの印字及び加熱がされたタグを発行することを特徴とするタグ発行装置。
【請求項４】
前記加熱手段が前記用紙の幅方向に列設した発熱素子と、前記制御信号に応じて該発熱素子に電流を供給する駆動部とを備え、前記接着層に被加熱部分を間隔を空けて多数設け、前記被加熱部分の面積を自在に変更して接着力を調整することを特徴とする請求項３に記載されたタグ発行装置。
【発明の詳細な説明】
【０００１】
【発明の属する技術分野】
本発明は、接着層を有する用紙に対して印字を行うタグ発行装置に関する。
【０００２】
【従来の技術】
顧客の手荷物を一時的に預かるホテルのクローク等の施設においては、預かった手荷物をどの顧客のものであるかが分かるように区別して管理する。このような場合の管理は、プラスチック等からなる紐付きの番号札を預かった手荷物に吊着すると共に、同番号の番号札を顧客に渡しておくことによって行うのが一般的であり、顧客が帰るときなどには番号札を受け取って手荷物の番号札と照合することにより当該顧客の手荷物を探し出して返却することとしている。
【０００３】
しかし、この管理手法では、顧客の数が異常に多い場合に備えて非常に多くの番号札を用意しておく必要があり、無駄が多い。又、顧客によっては他の顧客に使用された番号札を受け取ることを不快に感じる者もあるため、来客数の減少につながる虞もあるという問題がある。
【０００４】
この種の問題に対するものとして、空港における手荷物判別用のタグを帯状の用紙で作り、同用紙の裏面全体に熱溶着性接着層を設け、表面にはミシン目を挟んで手荷物用記載部と引換券用記載部とし、それらの記載部に手荷物を判別するための番号等を記載し、手荷物用記載部がある方をスーツケース等の手荷物の取っ手に潜通して裏面同士を合わせ、加熱して接着することにより、手荷物にループ状のタグを取り付けることとしている技術があった（特許文献１参照。）。
【０００５】
【特許文献１】
特開平７−５６５１３号公報
【０００６】
【発明が解決しようとする課題】
ところで、ホテルのクロークに預けられる手荷物には、封書等の紙類やコート等の衣類、大小のバッグ、箱、袋、或いは貴重品等、様々な物があり、取っ手のような環状部位を有しない物も多い。これに対し、上記従来のタグは、スーツケース等の大抵取っ手がある手荷物を対象としてループ状に取り付けるものとなっていたので、クローク等のような施設に預けられる手荷物には取り付けることができない場合があり、その手荷物管理に利用することは困難であった。
【０００７】
又、クローク等には紙類や小箱等の小さな物から大きなバッグ等まで様々な大きさの手荷物が預けられるが、上記従来のタグはスーツケース等の比較的大きな手荷物を対象とした一定の大きさになっている。このため、小さな手荷物に対しては不必要に大きいタグを使用することになり、用紙を無駄に使うことが多いという問題もあった。
【０００８】
本発明はこのような事情に鑑みてなされたもので、物に応じた取付態様のタグを発行することを可能としたタグ発行装置を提供することを目的としている。
【０００９】
【課題を解決するための手段】
請求項１記載の発明は、熱活性化型の接着層を有する帯状の用紙に対して印字を行う印字手段と、前記接着層を加熱して活性化させる加熱手段とを有し、前記接着層に対し、複数記憶した制御データを選択することにより加熱する部分を自在に変更することを特徴としている。
【００１０】
請求項２記載の発明は、請求項１に記載されたタグ発行装置において、前記加熱手段に制御信号を出力する制御手段を有し、前記加熱手段が前記用紙の幅方向に列設した発熱素子と、前記制御信号に応じて該発熱素子に電流を供給する駆動部とを備えたことを特徴としている。
【００１１】
請求項３記載の発明は、熱活性化型の接着層を有する帯状の用紙に対して印字を行う印字手段と、前記接着層を加熱して活性化させる加熱手段と、用紙の接着力を設定する接着力設定手段とを有し、前記印字手段により印字をすると共に前記接着力設定手段により設定された接着力に応じて前記加熱手段による加熱を行い、それらの印字及び加熱がされたタグを発行することを特徴としている。
【００１２】
請求項４記載の発明は、請求項３に記載されたタグ発行装置において、前記加熱手段が前記用紙の幅方向に列設した発熱素子と、前記制御信号に応じて該発熱素子に電流を供給する駆動部とを備え、前記接着層に被加熱部分を間隔を空けて多数設け、前記被加熱部分の面積を自在に変更して接着力を調整することを特徴としている。
【００１３】
【発明の実施の形態】
＜構成＞
（１）印字機構以下、図面を参照して本発明の実施の形態について説明する。
図１は、本発明の一実施形態による手荷物預かり用タグ発行装置における印字機構部１の構成を示す図である。この印字機構部１は、用紙ロール２と、用紙ロール２から引き出された用紙３の印字面３ａに印字をする印字部４と、用紙３を目的の長さに切断するカッタ５と、用紙の感熱型粘着面３ｂを加熱する粘着力活性部６とを備え、印字と粘着力の活性化がなされてカットされた用紙を手荷物への装着用タグないしは顧客への手荷物引換券として発行する（以下、手荷物への装着用タグ、顧客への手荷物引換券をそれぞれ「手荷物用タグ」、「引換券」という。）。
【００１４】
用紙ロール２は、用紙３がロール状に巻かれて蓄えられたものであり、芯部分が軸となって回転し、図示のように用紙３が印字部４等の側へ引き出されるようになっている。用紙３は、表面の印字面３ａに加熱によって発色する感熱記録層が設けられ、裏面の感熱型粘着面３ｂに加熱によって粘着性が活性化する感熱粘着層（熱活性化型の接着層）が設けられた帯状の用紙であり、感熱型粘着面３ｂが外側となるように巻かれて前記用紙ロール２を形成している。尚、用紙３は、印字面３ａが外側となるように巻いて用紙ロール２を形成するものとしてもよいが、その場合には後述する印字部４、粘着力活性部６のサーマルヘッド４ａ、６ａがそれぞれ印字面３ａ、感熱型粘着面３ｂに当接するように構成要素の上下配置関係を図１とは逆にする必要がある。
【００１５】
印字部４は、印字面３ａ側に設けられた第１サーマルヘッド４ａ及び感熱型粘着面３ｂ側に設けられた第１プラテンローラ４ｂによって構成されている。ここで、第１サーマルヘッド４ａは、感熱記録層を発色させる所定の温度で印字面３ａを加熱する多数密に配列された発熱素子によって構成され、第１プラテンローラ４ｂは、図示せぬステッピングモータにより回転駆動される印字用のプラテンローラとなっており、それぞれ後述する制御部によって制御される。用紙ロール２から引き出された用紙３は、これら第１サーマルヘッド４ａと第１プラテンローラ４ｂとの間に挟み込まれ、第１プラテンローラ４ｂの回転駆動により搬送されながら第１サーマルヘッド４ａにより印字面３ａへの加熱印字がなされるようになっている。又、第１プラテンローラ４ｂは、逆転することによって用紙３を引き戻し、第１サーマルヘッド４ａに対する印字面３ａの位置決めをするものでもあり、これによって所望の印字領域に正確な印字をすることができるようになっている。
【００１６】
カッタ５は、図示せぬ所定のカッタ駆動部によって位置変位し、用紙３をカットする。このカッタ５の駆動も後述の制御部によって制御され、発行すべき手荷物用タグ若しくは引換券の長さ分を用紙３から切断する。
【００１７】
粘着力活性部６は、感熱型粘着面３ｂ側に設けられた第２サーマルヘッド６ａと、印字面３ａ側に設けられた第２プラテンローラ６ｂと、用紙３の引き出し搬送方向（以下「用紙搬送方向」という。）の下流側端部が第２プラテンローラ６ｂと近接対向して設けられたガイド６ｃと、用紙搬送方向下流側の末端に設けられた２本のローラからなるタグ受け６ｄとによって構成されている。
【００１８】
ここで、第２サーマルヘッド６ａは、図１中に符号６ａＨで示す位置に、約０．１ｍｍ四方の薄膜からなる薄膜発熱素子が用紙搬送方向に対して垂直な直線状に多数列設され、後述の制御部による高密度な加熱制御が可能なものとなっている。列設されているそれらの発熱素子は、第２プラテンローラ６ｂに向けて付勢され、用紙３の幅全体に亘って当接可能となっている。尚、この第２サーマルヘッド６ａは、いわゆる縦型サーマルヘッドであり、印字用に安価に市販されているものを利用して構成することができる。又、第２サーマルヘッド６ａ付近には感熱型粘着面３ｂを検知するセンサ（図示略）が設けられており、これによって第２サーマルヘッド６ａに対する感熱型粘着面３ｂの当接位置が検出されるようになっている。
【００１９】
第２プラテンローラ６ｂは、図示せぬステッピングモータによって回転駆動されるものとなっており、用紙３の先端が粘着力活性部６に到達した時からこれを搬送する。この第２プラテンローラ６ｂは、印字用のプラテンローラ（上記第１プラテンローラ４ｂ）同様、外周表面が凹凸の無いゴム等の弾性部材で覆われており、その回転軸が上記第２サーマルヘッド６ａの付勢されている発熱素子列と平行に保たれ、用紙３の幅方向全体に亘って各発熱素子を均等に圧接できるようになっている。図示の印字機構部１では、このように第２プラテンローラ６ｂを用紙３の押圧と搬送に兼用することによって装置構成の小型化を図っている。
【００２０】
ガイド６ｃは、用紙搬送方向の上流側部分が図示のように湾曲し、印字部４を経て供給される用紙３を第２サーマルヘッド６ａと第２プラテンローラ６ｂとの間に案内する。又、第２プラテンローラ６ｂと近接対向した下流側端部によって用紙３を強く挟み込み、これを確実に搬送できるようにしている。
【００２１】
タグ受け６ｄは、第２プラテンローラ６ｂによって搬送され、第２サーマルヘッド６ａと第２プラテンローラ６ｂとの間を通過し、カッタ５によってカットされた用紙、すなわち、発行される手荷物用タグ又は引換券が乗ることになる受けローラである。このタグ受け６ｄ上の所定位置まで用紙３が搬送されると、第２プラテンローラ６ｂの回転駆動は停止し、発行すべき手荷物用タグ等がカットされて使用者に差し出される。尚、タグ受け６ｄ付近には用紙を検知するセンサ（図示略）が設けられており、これによってカットされた手荷物用タグ等がタグ受け６ｄ上から取り除かれたか否かが検出されるようになっている。
【００２２】
粘着力活性部６は、このような構成により、用紙３を搬送しながら第２サーマルヘッド６ａの各発熱素子への通電を行い、感熱型粘着面３ｂを加熱する。この場合、第２プラテンローラ６ｂを回転駆動するステッピングモータの各駆動ステップ間では、用紙３の搬送を停止させ、発行しようとするタグに応じて所定の発熱素子のみによる感熱型粘着面３ｂの加熱を行う（詳細は後述）。又、この加熱処理においては、感熱粘着層を活性化させる高い温度を得るために、感熱記録層を加熱する温度によって感熱型粘着面３ｂの同位置を複数回加熱する。或いは、かかる高い温度での加熱処理は、単位長さ当たりの加熱時間を長くすることでも可能である。これにより、粘着力活性部６は、感熱型粘着面３ｂに対する高密度なドット加熱制御を精確に行うことが可能なものとなっている。
【００２３】
尚、第２サーマルヘッド６ａの発熱素子と感熱型粘着面３ｂとの接触面は用紙搬送方向が非常に短く、縦型サーマルヘッドである第２サーマルヘッド６ａ自体も用紙搬送方向の寸法が非常に小さい。このため、発熱素子によって加熱された感熱型粘着面３ｂの部分は、加熱後に瞬時に活性化され、下流側へ移動することになるので、活性化された接着剤は通常第２サーマルヘッド６ａに付着しない。希に僅かに付着することがあっても、後に続く感熱型粘着面３ｂの非活性部によって擦られて取り除かれる。従って、粘着力活性部６での用紙３の搬送は、常に滑らかに行うことができる。そして、感熱粘着層への加熱効率が高いので、発熱量が少なくて済み、印字面３ａ側の感熱記録層を活性化させてしまう虞れは少ない。
【００２４】
（２）制御部
次に、本手荷物預かり用タグ発行装置における制御部について説明する。図２は、その構成を示すブロック図である。上記印字機構部１の各構成要素はこの制御部によって制御される。
【００２５】
図２において、１０は本制御部による制御処理を統括するＣＰＵであり、所定のバスやリード線等を介してＲＯＭ１１、ＲＡＭ１２、操作部１３、表示部１４、時計１５及びインターフェース１６と接続されている。ＲＯＭ１１は、印字機構部１の動作制御手順等を規定した制御プログラムが格納された記憶手段であり、装置が起動されると同時にＣＰＵ１０によって同制御プログラムがロードされる。
【００２６】
ＲＡＭ１２は、印字データ及び印字機構部１の各種制御データ等を記憶する記憶手段である。ここで、ＲＡＭ１２が記憶する印字データとしては、手荷物の預かり番号、手荷物の預かりを受け付ける担当者名、店名（手荷物を預かる施設名）及び各種メッセージ等のデータがある。又、制御データとしては、手荷物の種類（分類ないし対応タグの形態等）、印字機構部１の各動作における用紙３のフィード量及び感熱型粘着面３ｂの加熱パターン（第２サーマルヘッド６ａの発熱素子への通電パターン）等のデータがある。これら担当者名等の印字データは施設の実情に応じて、フィード量や加熱パターン等の制御データは預かりを受け付ける各手荷物の種類に応じて、それぞれ後述する操作部１３の操作によって適宜設定されて記憶される。但し、手荷物の預かり番号のデータについては、預かる手荷物に付与される番号が重複しないように、ＣＰＵ１０が適宜設定、更新してＲＡＭ１２に格納する。
【００２７】
操作部１３は、使用者による上記印字データ及び制御データの設定入力やそれらの設定したデータの選択指示等を受け付ける入力手段であり、表示部１４は、データの設定ないし選択等のメニュー画面や設定されているデータに基づく画面等を表示する表示手段である。これらの操作部１３と表示部１４は、一体となって液晶タッチパネルになっており、その表示面で前記各画像を表示すると共に、それを参照して使用者が触れた表示面上の位置を検出することによって前記設定入力等の受付を行う。
【００２８】
すなわち、メニュー画面から設定モードにした場合では、上記印字データと制御データのそれぞれが項目表示され、使用者が設定しようとする項目を選択してその表示欄に触れると、それに応じた検出信号が操作部１３からＣＰＵ１０へ供給されてＣＰＵ１０が表示部１４を制御し、当該項目のデータ設定モードに入る。例えば、上記担当者名の項目が選択されると、表示部１４が文字入力用の画面に切り換えられる。そして、使用者は当該施設で手荷物の預かりを受け付ける担当者の氏名を入力し、ＣＰＵ１０がその担当者名データに担当者番号データを付してＲＡＭ１２に書き込み、設定登録をする。
【００２９】
尚、ここにいう担当者番号データは、各担当者名データに対応して付される各担当者固有の番号を示すもので、ＣＰＵ１０が順次インクリメントして自動的に割り当てるものとしてもよいが、使用者が入力して適宜設定するものとしてもよい。又、店名、各種メッセージ等、他の印字データ項目が選択された場合にも表示部１４は文字入力用の画面に切り換えられ、使用者が当該施設の実情ないし所望のメッセージ表示形態等に応じた入力を行って各項目のデータをＲＡＭ１２に設定登録する。
【００３０】
一方、手荷物の種類の項目が選択されると、表示部１４が手荷物の種類名を入力する画面（予めＲＯＭ１１ないしＲＡＭ１２に用意した種類名からの選択画面や文字入力用画面等）に切り換えられる。そして、使用者が設定しようとする種類名を入力すると、当該種類の手荷物に対する用紙３のフィード量及び感熱型粘着面３ｂの加熱パターン等の制御データを入力するモードに移る。この場合、使用者は、当該種類の手荷物に対して取り付けるタグとして適したフィード量と加熱パターンを入力する。
【００３１】
例えば、預かり物としてハガキを受け付ける場合のように、短いタグを取り付けるタイプで、しかも、タグの接着力を弱くしたいタイプの手荷物に対してタグを印字発行する場合には、手荷物の種類として“ハガキ”を入力すると共に、短いフィード量と接着力が弱い加熱パターンを入力する。又、預かり物としてダンボール箱を受け付ける場合のように、短いタグを取り付けるタイプで、しかも、タグを剥がす際に表面が損傷しにくいタイプの手荷物に対してタグを印字発行する場合には、手荷物の種類として“ダンボール”を入力すると共に、短いフィード量と接着力が中程度の加熱パターンを入力する。一方、預かり物として取っ手付きのバッグやハンガーに掛けて保管するコートを受け付ける場合のように、取っ手やハンガーに通してループ状にタグを装着できるタイプの手荷物に対してタグを印字発行する場合には、手荷物の種類として“ループ用”を入力すると共に、長いフィード量と接着力が強い加熱パターンを入力する。
【００３２】
ここで、入力するフィード量については、所定の長さ単位で適宜指定入力することとしたり、予めＲＯＭ１１ないしＲＡＭ１２に短い“小フィード量”や長い“大フィード量”等を種々用意しておいてそれらのうちから選択入力することとしてもよい。例えば、上記“ハガキ”、“ダンボール”及び“ループ用”を設定入力するような場合については、“ハガキ”及び“ダンボール”に対しては“小フィード量”を、“ループ用”に対しては“大フィード量”をそれぞれ設定する。
【００３３】
又、入力する加熱パターンについては、第２サーマルヘッド６ａによる感熱型粘着面３ｂのドット加熱パターンを予めＲＯＭ１１ないしＲＡＭ１２に種々用意しておき、それらのうちから選択入力することとすればよい。例えば、上記“ハガキ”、“ダンボール”及び“ループ用”を設定入力するような場合に対しては、活性化される感熱粘着層の接着剤による接着力が弱い粗めの低密度加熱パターン、中程度の中間密度加熱パターン及び強い密な高密度加熱パターン等をそれぞれ用意しておき、これらのうちから各手荷物に応じた接着力を生じさせるものを選択入力することにする。
【００３４】
かかる加熱パターンの一例を図３に示す。この図において、各黒色部分は感熱型粘着面３ｂに対する被加熱部分を表し、（ａ）、（ｂ）、（ｃ）がそれぞれ上記“ハガキ”への貼付用、“ダンボール”への貼付用、“ループ用”への装着用として設定する低密度、中密度、高密度の加熱パターンを示す。これらは、ハガキ、ダンボール、ループ用の順で接着力が小さいものとなっている。
【００３５】
図示のように、これらの加熱パターンでは、感熱粘着層を活性化させようとするエリア内で被加熱部分を細分化し、その１つ１つの面積を変える、つまり、被加熱部分の密度を変えることによって全体の接着力を変化させることとしている。更に、この例では、単に加熱密度を変えるというだけではなく、１つ１つの被加熱部分の面積を変えることにより、接着力の変化の度合いをより大きくしている。但し、加熱密度のみを変えても加熱面積が小さくなって接着力は変化するので、扱う手荷物によっては図３のようにはせずに単に加熱密度を変えることによって接着力を調整することとしてもよい。尚、本手荷物預かり用タグ発行装置では、感熱型粘着面３ｂの加熱をサーマルヘッド（第２サーマルヘッド６ａ）によって行うこととしているので、このような種々の加熱パターンでの加熱処理を容易かつ精確に行うことができる。
【００３６】
ＣＰＵ１０は、入力された以上のような手荷物の種類、それに応じたフィード量及び加熱パターンをＲＡＭ１２の所定領域に書き込み、それらのデータの設定登録をする。ＲＡＭ１２には、このようにして設定された印字データと制御データが予め記憶され、使用時の手荷物預かり用タグ発行動作におけるＣＰＵ１０の処理に供されることになる（後述）。尚、上述したメニュー画面からのデータ設定手順や表示画面データ等は、ＲＯＭ１１の上記制御プログラムや操作部１３及び表示部１４である上記液晶タッチパネルのハードウェア構成等によって予め規定されている。
【００３７】
一方、図２の時計１５は時刻を計時する手段であり、現在の年、月、日、時及び分を日付データとしてＣＰＵ１０へ供給する。
【００３８】
インターフェース１６は、ＣＰＵ１０等とサーマルヘッド駆動部１７、１８、カッタ駆動部１９、センサ２０、２１、ステッピングモータ２２及び２３との間を接続し、各部に適した信号授受形態によるデータの入出力を行うインタフェースである。サーマルヘッド駆動部１７、１８は、それぞれ上記第１サーマルヘッド４ａ、第２サーマルヘッド６ａを駆動する駆動回路であり、インターフェース１６を介してＣＰＵ１０から加熱パターンの指示信号を受け、それに従って各サーマルヘッドの各発熱素子へ通電電流を供給する。カッタ駆動部１９は、上記カッタ５を駆動する駆動回路であり、インターフェース１６を介してＣＰＵ１０から用紙カットの指示信号を受け、それに従ってカッタ５の位置変位動作を作動させる。
【００３９】
センサ２０は、第２サーマルヘッド６ａ付近に設けられた上述のセンサであり、第２サーマルヘッド６ａに対する感熱型粘着面３ｂの当接位置に応じた検出信号を出力し、これがＣＰＵ１０へ供給されて同当接位置が識別される。センサ２１は、上記タグ受け６ｄ付近に設けられた上述のセンサであり、タグ受け６ｄ上の用紙（タグ）の有無に応じた検出信号を出力し、これがＣＰＵ１０へ供給されて手荷物用タグ等がタグ受け６ｄ上から取り除かれたか否かが識別判断される。
【００４０】
ステッピングモータ２２、２３は、それぞれ上記プラテンローラ４ｂ、６ｂを回転駆動する上述のステッピングモータであり、ＣＰＵ１０からの制御信号によって回転が制御される。
【００４１】
＜動作＞本手荷物預かり用タグ発行装置は、以上の印字機構部１と制御部とを具備し、ホテルのクローク等において預けられる手荷物の判別管理に使用される。以下、その使用態様に沿って本手荷物預かり用タグ発行装置の動作を説明する。
【００４２】
まず、使用者の入力指示によって上記液晶タッチパネルの表示が使用時画面に切り換わると、ＲＡＭ１２に設定されている印字データや制御データ等に基づく表示がなされる。ここで、上述した例のような印字データと制御データがＲＡＭ１２に設定されているとすると、図４に示すような画面が液晶タッチパネルに表示される。
【００４３】
図４において、“担当者名：○×○×”と“担当者番号”及び“００１”の欄は、現在選択されている担当者の氏名と番号を表示している。手荷物の預かりを受け付けようとする使用者は、この表示が自己の氏名及び番号でない場合には当該自己の氏名及び番号を選択して表示させるようにする。この選択の手法としては、例えば、“担当者番号”の欄に使用者が触れる度に操作部１３がこれを検出し、ＣＰＵ１０が“担当者名：○×○×”、“担当者番号”及び“００１”の表示をＲＡＭ１２に登録されている他の担当者に順次切り換えることとし、これによって使用者が表示を自己のものに合わせるようにする。
【００４４】
又、“預かり番号”の欄には、ＣＰＵ１０によってＲＡＭ１２に現在設定されている番号が表示され、この番号がこれから預かる手荷物に対して付与する番号となる。“日付”の欄には、時計１５から供給される日付データに基づく日付時刻が表示され、“店名”の欄には、ＲＡＭ１２に設定されている当該施設の名称が表示される。尚、“メニュー”の欄は、上記メニュー画面に戻る指示入力を受け付けるメニューキーである。
【００４５】
一方、“ハガキ”、“ダンボール”及び“ループ用”の欄は、設定されている手荷物の種類を表示しており、これらは手荷物に応じてタグを発行する際の選択キーとなる。すなわち、短いタグを弱い接着力で貼付するハガキのような手荷物にタグを印字発行する場合に押下するキーとしてハガキキーが表示され、短いタグを中程度の接着力で貼付するダンボールのような手荷物にタグを印字発行する場合に押下するキーとしてダンボールキーが表示され、取っ手やハンガーに通してループ状にタグを装着するバッグやコートのような手荷物にタグを印字発行する場合に押下するキーとしてループ用キーが表示される。そして、顧客から手荷物を預かる使用者（預かり担当者）は、これらのキーを操作することにより、当該手荷物に適したタグを発行して手荷物の判別管理を行う。
【００４６】
その操作に対する本手荷物預かり用タグ発行装置の動作手順を図５に示す。本手荷物預かり用タグ発行装置においては、まず、上記ハガキキーが押下されたか否かがＣＰＵ１０によって判断される（ステップＳ１）。このとき、顧客から差し出された手荷物がハガキや封書等で上記“ハガキ”の部類に属する物であったとすると、使用者（担当者）はハガキキーを押下し、これによってステップＳ１での判断結果が“ＹＥＳ”となってステップＳ２へ進む。
【００４７】
ステップＳ２では、手荷物用タグに印字すべき印字データを印字機構部１において用紙３の印字面３ａに印字する。具体的には、ＣＰＵ１０がＲＡＭ１２から現在設定されている預かり番号、現在選択されている担当者名及びメッセージ等の印字データを読み出すと共に、時計１５から現在の日付データを読み込み、それらに基づいてサーマルヘッド駆動部１７への加熱パターンの指示信号とステッピングモータ２２への回転駆動の制御信号を供給する。これにより、第１サーマルヘッド４ａ及び第１プラテンローラ４ｂが作動して印字処理がなされ、当該手荷物に対する預かり番号、当該手荷物を扱った担当者名及び当該手荷物が預けれられた日付時刻が所定の表記形態で用紙３に印字される。
【００４８】
続いて、感熱型粘着面３ｂの感熱粘着層に対する低密度加熱を行う（ステップＳ３）。すなわち、ＣＰＵ１０は、ステッピングモータ２２及び２３へ制御信号を供給して第１及び第２プラテンローラ４ｂ及び６ｂを駆動し、センサ２０からの検出信号を参照して用紙３先端部分の感熱型粘着面３ｂを第２サーマルヘッド６ａに対して位置決めする。そして、手荷物の種類“ハガキ”に対する加熱パターンとしてＲＡＭ１２に設定されている上記低密度の加熱パターンを読み出し、それに基づいてサーマルヘッド駆動部１８へ指示信号を供給して第２サーマルヘッド６ａを駆動すると共に、ステッピングモータ２３へ制御信号を供給して第２プラテンローラ６ｂを駆動する。これにより、用紙３の先端部分は搬送されつつ感熱粘着層を加熱され、図３の（ａ）に示したような１つの１つの被加熱部分の面積が小さい低密度加熱を施される。
【００４９】
次に、短いタグを発行すべく用紙３の小さいフィードを行い、そのカット位置をカッタ５によるカット位置に合わせる（ステップＳ４）。すなわち、ＣＰＵ１０が手荷物の種類“ハガキ”に対するフィード量としてＲＡＭ１２に設定されている上記“小フィード量”のデータを読み出し、それに基づいてステッピングモータ２２及び２３へ制御信号を供給して第１及び第２プラテンローラ４ｂ及び６ｂを駆動する。これにより、“ハガキ”に対して取り付けるタグとして適した長さ分だけ用紙３がタグ受け６ｄの側へ送り出される。
【００５０】
その後、ＣＰＵ１０が用紙カットの指示信号を出力し、これを受けたカッタ駆動部１９がカッタ５を作動させて用紙３をカットする（ステップＳ５）。これにより、図６の（ａ）及び（ｂ）に示すようなハガキ貼付用の手荷物用タグがタグ受け６ｄ上に発行される。
【００５１】
ここで、図６の（ａ）は上記所定の印字がなされた手荷物用タグの表面を示し、（ｂ）は同手荷物用タグの裏面を示している。（ａ）中、“担当”、“年”、“月”及び“日”はＲＡＭ１２に設定されている上述のメッセージに、“○×太郎”はＲＡＭ１２に設定されて現在選択されている担当者名に、“５７”はＲＡＭ１２に現在設定されている預かり番号にそれぞれ相当する。又、“９９”、“４”、“２３”及び“１０：１６”は、時計１５が示す印字時の日付時刻、すなわち、タグの発行時を示すものである。一方、（ｂ）中の黒点はそれぞれ被加熱部分を示し、それらの部分のみの接着剤が活性化されて弱い接着力の貼付用部分を形成している。
【００５２】
このように用紙３をカットして手荷物用タグを発行した後は、ＣＰＵ１０がセンサ２１からの検出信号によって当該手荷物用タグがタグ受け６ｄから取り除かれたか否かを判断する（ステップＳ６）。センサ２１からの検出信号は、当該手荷物用タグがタグ受け６ｄ上にある限りタグ有りを示すものとなるので、ステップＳ６での判断結果は“ＮＯ”となって同様の判断が繰り返され、ＣＰＵ１０は後続の処理への進行を待つ。
【００５３】
そして、使用者が当該手荷物用タグをタグ受け６ｄから取り除くと、センサ２１からの検出信号がタグ無しを示すものとなり、ステップＳ６での判断結果が“ＹＥＳ”となってステップＳ７へ進む。このとき、使用者は、タグ受け６ｄから取り除いた当該手荷物用タグを上記顧客から差し出されたハガキ等の手荷物に貼付する。
【００５４】
ステップＳ７では、引換券に印字すべき印字データを印字機構部１において用紙３に印字する。具体的には、上記ステップＳ２同様にＣＰＵ１０がＲＡＭ１２から預かり番号、担当者名及びメッセージ等の印字データを読み出すと共に、時計１５から日付データを読み込み、それらに基づいて第１サーマルヘッド４ａ及び第１プラテンローラ４ｂを作動させて当該手荷物の預かり番号、担当者名及び日付時刻等を所定の表記形態で用紙３に印字する。
【００５５】
ここで、引換券は顧客に渡すものであるので、ステップＳ７で印字するメッセージについては、顧客向けの引換券用メッセージとして手荷物用タグ用の上記メッセージとは別に設定登録しておく。そして、ステップＳ７ではその引換券用メッセージをＲＡＭ１２から読み出すこととし、上記手荷物用タグとは異なる顧客向けの表記形態で印字を行う。又、日付時刻については、上述のようにステップＳ７での日付時刻としてもよいが、上記ステップＳ２での印字時をＲＡＭ１２に一時格納しておき、それを読み出して印字することによって上記手荷物用タグと引換券の発行時刻が確実に一致するようにしてもよい。
【００５６】
次に、ＣＰＵ１０は、ＲＡＭ１２に設定されている預かり番号を“１”インクリメントして更新する（ステップＳ８）。又、引換券分の用紙３をタグ受け６ｄ側へ送り出し、用紙カットの指示信号を出力してカッタ５により用紙３をカットする（ステップＳ９）。これにより、図６の（ｃ）に示すような引換券がタグ受け６ｄ上に発行される。
【００５７】
図６（ｃ）の引換券において、“お預かり番号は”、“番です。”、“年”、“月”、“日”、“１７時以降は、”、“日以降の引渡となります。”、“担当”、“ホテル　○×○×”及び“ＴＥＬ　０３−○×○×−○×○×”は、ＲＡＭ１２に設定されているメッセージに相当し、上記引換券用メッセージの一例を示している。又、“５７”、“○×太郎”はそれぞれ上記同様の預かり番号、担当者名に相当し、“９９”、“４”、“２３”及び“１０：１６”は上記同様に発行時を示すものである。一方、手荷物引渡の時間制限が印字された部分の“２４”は、時計１５からの日付データに応じてＣＰＵ１０が適宜変更して（翌日等の日付にして）印字するものである。
【００５８】
尚、引換券分の用紙３の送り出しは、上記ステップＳ７での印字部分を含む引換券分のフィード量をＲＡＭ１２に設定しておき、それに応じた制御信号をＣＰＵ１０がステッピングモータ２２及び２３へ供給して第１及び第２プラテンローラ４ｂ及び６ｂを駆動することによって行う。但し、引換券の大きさは顧客側の携帯性等を考慮して決定するものであり、手荷物の種類には直接関係がないので、初めからＲＡＭ１２に適当なフィード量を設定しておいたり、ＲＯＭ１１に用意しておいたりして一律のフィード量だけ送り出しを行うこととすればよい。
【００５９】
以上のようにして引換券を発行した後は、上記ステップＳ６同様、ＣＰＵ１０がセンサ２１からの検出信号によって当該引換券がタグ受け６ｄから取り除かれたか否かを判断し（ステップＳ１０）、当該引換券がタグ受け６ｄ上にある限り判断結果を“ＮＯ”として次の処理の実行を待つ。そして、使用者が当該引換券をタグ受け６ｄから取り除くと判断結果が“ＹＥＳ”となり、ステップＳ１へ戻る。このとき、使用者は、タグ受け６ｄから取り除いた当該引換券を上記顧客に渡すと共に、上記手荷物用タグを貼付した手荷物を預かり物として保管し、その顧客に対する一連の手荷物預かり受付業務を終了する。
【００６０】
一方、顧客から差し出された手荷物がダンボール箱等で上記“ダンボール”の部類に属するものであった場合は、使用者は上記液晶タッチパネルのダンボールキーを押下する。
【００６１】
この場合、上記ステップＳ１での判断結果は“ＮＯ”となり、ステップＳ１１進んでダンボールキーが押下されたか否かが判断され、ここでの判断結果が“ＹＥＳ”となってステップＳ１２へ進む。ステップＳ１２では上記ステップＳ２と同様にして手荷物用タグに印字すべき印字データの印字を行い、その後ステップＳ１３へ進む。
【００６２】
ステップＳ１３では、感熱型粘着面３ｂの感熱粘着層に対する中密度加熱を行う。この加熱処理もＣＰＵ１０の制御の下で上記ステップＳ３同様に行われるが、加熱パターンとしては、手荷物の種類“ダンボール”に対するものとしてＲＡＭ１２に設定されている上記中密度の加熱パターンを読み出し、それに基づいて第２サーマルヘッド６ａの駆動を制御する。これにより、用紙３の先端部分は、図３の（ｂ）に示したような１つの１つの被加熱部分の面積が中程度の大きさの中密度加熱を施される。
【００６３】
次に、上記ステップＳ４同様に用紙３の小さいフィードを行い、“ダンボール”に取り付けるタグとして適した長さ分だけ用紙３をタグ受け６ｄ側へ送り出し、カット位置を合わせる（ステップＳ１４）。その後はステップＳ５へ進み、上記同様に用紙３がカットされてダンボール貼付用の手荷物用タグが発行される。これによって発行される手荷物用タグは、図６の（ａ）及び（ｂ）に示すものと同様となるが、（ｂ）中の各被加熱部分が図３の（ａ）に対する（ｂ）のように“ハガキ”に対する手荷物用タグよりも大きい中程度の大きさとなり、先端部分に中程度の接着力の貼付用部分が形成される。
【００６４】
以後、上記同様、当該手荷物用タグがタグ受け６ｄから取り除かれたか否かが判断され（ステップＳ６）、使用者がこれを取り除くと引換券の印字、預かり番号のインクリメント及び引換券分の用紙カットがなされる（ステップＳ７、Ｓ８、Ｓ９）。これにより、図６（ｃ）同様の引換券が発行されてＣＰＵ１０は待機状態となり（ステップＳ１０）、使用者が当該引換券を取り除くとステップＳ１へ戻る。この間、使用者は、当該手荷物用タグを顧客から差し出されたダンボール箱等の手荷物に貼付し、当該引換券を顧客に渡すと共に手荷物を預かり物として保管し、一連の手荷物預かり受付業務を終了する。
【００６５】
これに対し、顧客から差し出された手荷物が取っ手付きのバッグやハンガーにかけて保管すべきコート等、上記“ループ用”の部類に属するものであった場合は、使用者は液晶タッチパネルのループ用キーを押下する。
【００６６】
この場合、上記ステップＳ１、Ｓ１１での判断結果が共に“ＮＯ”となってステップＳ１５へと進み、ループ用キーが押下されたか否かが判断される。そして、ここでの判断結果が“ＹＥＳ”となり、ステップＳ１６へ進む。そしてステップＳ１６でも上記ステップＳ２と同様にして手荷物用タグに印字すべき印字データの印字を行い、その後ステップＳ１７へ進む。
【００６７】
ステップＳ１７では、感熱型粘着面３ｂの感熱粘着層に対する高密度加熱を行う。この加熱処理もＣＰＵ１０の制御の下で上記ステップＳ３同様に行われるが、加熱パターンとしては、手荷物の種類“ループ用”に対するものとしてＲＡＭ１２に設定されている上記高密度の加熱パターンを読み出し、それに基づいて第２サーマルヘッド６ａの駆動を制御する。これにより、用紙３の先端部分は、図３の（ｃ）に示したような１つの１つの被加熱部分の面積が大きい高密度加熱を施される。
【００６８】
ここで、この高密度加熱処理では、用紙３の先端から所定長の部分を加熱せずにそのまま送り出し、同所定長以降の部分を加熱することとする。又、その加熱をする部分についても用紙３の幅方向両端から所定長の縁部は加熱しないことにする。ＣＰＵ１０は、このように第２サーマルヘッド６ａ及びプラテンローラ６ｂを制御し、これにより、用紙３の先端部分において、加熱領域の周囲に用紙３の各縁から所定幅以上の非加熱領域を形成する。
【００６９】
次に、タグのループ部を形成すべく用紙３の大きいフィードを行う（ステップＳ１８）。すなわち、ＣＰＵ１０が手荷物の種類“ループ用”に対するフィード量としてＲＡＭ１２に設定されている上記“大フィード量”のデータを読み出し、それに基づいてステッピングモータ２２及び２３へ制御信号を供給して第１及び第２プラテンローラ４ｂ及び６ｂを駆動する。これにより、“ループ用”としてループ状に取り付けるタグのループ部を形成するに適した長さ分だけ用紙３がタグ受け６ｄの側へ送り出される。
【００７０】
続いて、その大きくフィードされた用紙３に対し、再度、感熱型粘着面３ｂの感熱粘着層に対する高密度加熱を行う（ステップＳ１９）。ここでの高密度加熱処理は、用紙３における加熱位置がステップＳ１８での大フィードによって変化していることを除けば上記ステップＳ１７と同様である。すなわち、ＣＰＵ１０が上記高密度加熱パターンを読み出して第２サーマルヘッド６ａの駆動を制御し、大フィード後に第２サーマルヘッド６ａと対向した用紙３の部分に図３（ｃ）のような各被加熱部分の面積が大きい高密度加熱を施す。そしてこの場合も所定の縁部分は加熱しないこととし、加熱領域の周囲に所定の非加熱領域を形成する。
【００７１】
但し、この場合の加熱領域は手荷物用タグの後端部分に位置することになるので（後述）、大フィード後に第２サーマルヘッド６ａと対向した用紙位置から所定の加熱領域分の長さだけを加熱し、その後の上記同様の所定長の部分は加熱せずにそのまま送り出す。又、その加熱をする部分についても用紙３の幅方向両端から所定長の縁部は加熱しないことにする。これにより、用紙３の手荷物用タグとなる部分の後端部分において、高密度加熱領域の周囲に用紙３の各縁から所定幅以上の非加熱領域を形成する。
【００７２】
その後はステップＳ５へ進み、上記同様にＣＰＵ１０が用紙カットの指示信号を出力してカッタ５により用紙３をカットする。これにより、図７の（ａ）及び（ｂ）に示すようなループ装着用の手荷物用タグがタグ受け６ｄ上に発行される。
【００７３】
ここで、図７の（ａ）、（ｂ）は、それぞれ同手荷物用タグの表面、裏面を示している。図示のように、ループ装着用の手荷物用タグは、担当者名等の印字内容は上記図６（ａ）に示したハガキ貼付用やダンボール貼付用の手荷物用タグと共通であるが、上記大フィードによって形成されたループ部（２つの高密度加熱領域の間の部分）を有するため、ハガキ貼付用ないしダンボール貼付用の手荷物用タグよりも長いものとなる。
【００７４】
又、図７（ｂ）中の斜線領域はそれぞれ上記加熱領域を示し、それらの領域内の感熱粘着層が図３（ｃ）で示したように高密度で加熱されて強い接着力の貼付用部分を形成している。これらの加熱領域は、図中上側が上記ステップＳ１７で高密度加熱処理された手荷物用タグ先端部分の加熱領域、下側が上記ステップＳ１９で高密度加熱処理された手荷物用タグ後端部分の加熱領域であり、それぞれの周囲には用紙の各縁から所定幅以上の非加熱領域が形成されている。
【００７５】
このようにしてループ貼付用の手荷物用タグが発行され、以後、上記同様に当該手荷物用タグがタグ受け６ｄから取り除かれたか否かが判断され（ステップＳ６）、使用者がこれを取り除くと引換券の印字、預かり番号のインクリメント及び引換券分の用紙カットがなされる（ステップＳ７、Ｓ８、Ｓ９）。これにより、図７（ｃ）の引換券が発行されてＣＰＵ１０は待機状態となり（ステップＳ１０）、使用者が当該引換券を取り除くとステップＳ１へ戻る。尚、図７（ｃ）の引換券は、上記図６（ｃ）の引換券と同様のものとなる（すなわち、引換券の大きさ及び表記形態はすべての手荷物に対して共通である。）。
【００７６】
そしてこの間、使用者は、当該手荷物用タグを顧客から差し出されたバッグやコート等の手荷物に装着し、当該引換券を顧客に渡すと共に手荷物を預かり物として保管し、一連の手荷物預かり受付業務を終了する。ここで、手荷物用タグの装着は、タグの一端を手荷物の環状部位（取っ手やハンガーの一部等）に通した後で、上記ステップＳ１７とＳ１９の加熱処理で接着剤が活性化された２つの加熱領域部分を合わせることによって行い、これにより、形成されるループ部が強固な接着力で確実に保持されるようにする。又、接着力を有する手荷物用タグの先後端部分がそれぞれ各縁から所定幅以上の非加熱部分を有しているので、裏面同士が多少ずれても粘着部分は現れない。従って、使用者はこの手荷物用タグを容易に取り扱うことができる。
【００７７】
尚、ハガキキー、ダンボールキー及びループ用キーのいずれもが押下されない場合には、ステップＳ１、Ｓ１１及びＳ１５での判断結果がいずれも“ＮＯ”となり、ステップＳ２０へ進む。ステップＳ２０では、上述した各種データ設定等の種々の設定やメンテナンス等、必要に応じた他の処理を行い、ステップＳ１へ戻る。
【００７８】
以上、本発明の一実施形態について説明したが、本発明は上述の形態に限られるものではない。例えば、上記カッタ５に代えて発行口に用紙を切断するための手動式のカッタを設けることとしてもよい。又、そのカッタや上記カッタ５等の用紙切断手段としては、用紙の一部は切断しないハーフカット等の疑似切断をするものを用いることとしてもよい。
【００７９】
一方、引換券には粘着性が不要なので、これを先に印字してハーフカットし、次に手荷物用タグを発行することとしてもよい。このようにすれば、引換券と手荷物用タグがつながっていることになるので、扱いが容易になり、更によい。
【００８０】
又、手荷物用タグと引換券は、一緒に発行するものであれば、それぞれ異なる印字部によって印字し、発行することとしてもよい。この場合、引換券の発行については、上記粘着力活性部６のような加熱手段は不要である。
【００８１】
更に、手荷物用タグの接着力や長さの調整は上記実施形態のものに限らず、程度に応じたそれぞれのキーを設けて多段階にできるようにしてもよい。又、それらの接着力と長さは、それぞれ独立して設定できるようにしてもよい。
【００８２】
加えて、上記液晶タッチパネル上等に担当者毎に専用のキーを設け、ワンタッチで担当者を指定することとしてもよい。このようにすれば、複数の担当者で本手荷物預かり用タグ発行装置を使用して手荷物預かり業務を行うことが更に容易になる。
【００８３】
又、感熱接着層への加熱は、効率よく小電力で行えるものであればよいので、サーマルヘッドに限らず、薄膜、或いは厚膜からなる発熱素子を用紙に圧接できるものであればよい。
【００８４】
【発明の効果】
以上説明したように請求項１または請求項２の発明によれば、用紙の接着層に対して加熱する領域を制限することで、粘着性が不要な非加熱領域を形成することができるという効果がある。
【００８５】
又、請求項３記載の発明によれば、発行しようとする用紙の接着力を設定する設定手段を設け、これによって設定した接着力に応じて接着層が加熱されることから、使用する物に合わせて必要な接着力を有するタグを発行することができるという効果がある。
【００８６】
又、請求項４記載の発明によれば、接着層に被加熱部分を間隔を空けて多数設け、それらの面積を自在に変更して接着力を調整することとしたので、接着層をマクロ的に見たときの接着剤が活性化されたエリアにおいて、多数設けられた被加熱部分の面積を変えることによって接着力が調整可能になっている。従って、例えば、貼着したタグを取り除く際に、紙等からなる手荷物の表面がタグの接着力により剥がれてしまうことがないようにすることができ、表面が強い物にあっては接着力を高めて確実に貼着するようにすることもできる。これにより、タグを貼着する対象物に合わせて適切に対応することができるという効果が得られる。
【図面の簡単な説明】
【図１】本発明の実施形態に係るＰＯＳシステムの外観図である。
【図２】本発明の実施形態に係るＰＯＳレジスタの電気的ブロック図である。
【図３】本発明の実施形態に係るＰＯＳシステムの商品ファイルのデータ構成を示す図である。
【図４】本発明の実施形態に係るＰＯＳシステムの履歴データフォーマットの構成を示す図である。
【図５】本発明の実施形態に係るＰＯＳシステムの記憶商品選択画面に関する表示例を示す図である。
【図６】本発明の実施形態に係るＰＯＳシステムの履歴表示画面に関する表示例を示す図である。
【図７】本発明の実施形態に係るＰＯＳシステムの処理フォローチャートである。
【符号の説明】
１・・・レシート発行口、２・・・操作部、３・・・液晶タッチパネル、４・・・客側表示部、５・・・カードリーダライタ、６・・・ドロアー、６ａ・・・ソレノイド、１０・・・バーコードスキャナ、２１・・・ＣＰＵ、２２・・・ＲＯＭ、２３・・・ＲＡＭ、
【図１】
2004136972.tif 000003
【図２】
2004136972.tif 000004
【図３】
2004136972.tif 000005
【図４】
2004136972.tif 000006
【図５】
2004136972.tif 000007
【図６】
2004136972.tif 000008
【図７】
2004136972.tif 000009